(57)【要約】【課題】心電計用電極装置について、被測定者に過大な負担をかけることなく電極を正確に位置決めしながら迅速に装着できるようにする。【解決手段】胸部用の電極１０ａ，１０ｂ，１０ｃがベルト状部材からなる電極ホルダ５０の内側面で長手方向に複数個配置され、各電極１０ａ，１０ｂ，１０ｃが測定位置の皮膚に接するように被測定者の胸部に横向きに装着されて測定を行う心電計用電極装置１Ａであって、そのベルト状部材の両端側には、所定形状の係止体５１ａ，５１ｂが各々付設されており、その係止体５１ａ，５１ｂを仰臥した被測定者の両腋下を通してベルト状部材に張力をかけながら背中と床面の間に各々挟み込むことにより、係止体５１ａ，５１ｂの密着面に生じる摩擦力で電極ホルダ５０を固定しながら被測定者に装着される、ことを特徴とするものとした。【選択図】図１
2018175388.tif 000002
【特許請求の範囲】
【請求項１】
胸部用の電極がベルト状部材からなる電極ホルダの内側面で長手方向に複数個配置され、前記各電極が測定位置の皮膚に接するように被測定者の胸部に横向きに装着されて測定を行う心電計用電極装置において、前記ベルト状部材の両端側には所定形状の係止体が各々付設されており、前記両係止体を仰臥した被測定者の両腋下を通して前記ベルト状部材に張力をかけながら背中と床面の間に各々挟み込むことにより、前記係止体の密着面に生じる摩擦力で前記電極ホルダを固定しながら被測定者に装着される、ことを特徴とする心電計用電極装置。
【請求項２】
前記複数個の電極は、胸部用のＶ４電極、Ｖ５電極、Ｖ６電極であって、各々前記ベルト状部材に挿通されて長手方向に摺動可能に配設された鞘状体に付設されており、前記ベルト状部材における長手方向の位置調整が可能とされている、ことを特徴とする請求項１に記載した心電計用電極装置。
【請求項３】
前記係止体は、少なくとも前記ベルト状部材の厚さ方向の幅よりも同方向に幅広とされた柔軟な素材からなり、被測定者の背中と床面の間に挟み込まれることで変形しながら皮膚に密着した状態で固定される、ことを特徴とする請求項１又は２に記載した心電計用電極装置。
【請求項４】
請求項１，２又は３に記載した心電計用電極装置と、Ｖ１電極、Ｖ２電極、Ｖ３電極を保持した所定形状の電極ホルダを仰臥した被測定者の胸の測定位置に置くことで前記測定位置の皮膚に前記各電極が接した状態で各々位置決め・固定される上載せ式の心電計用電極装置とが組み合わされたことを特徴とする、電計用電極装置。
【請求項５】
前記上載せ式の心電計用電極装置は、前記電極ホルダが、棒状部材からなる２本の支持バーが並列した状態で互いの中央部分をその長手方向に直角な軸で連結されて前記軸を中心に互いに旋回動作を可能とされており、測定時に頭側に位置する一方の前記支持バーには、その左端側に前記Ｖ１電極が配設され右端側に前記Ｖ２電極が配設されており、測定時に腹部側に位置する他方の前記支持バーには、右端側に前記Ｖ３電極が配設され左端側に先端で皮膚に接して前記支持バーを支持する支持脚が配設されている、ことを特徴とする請求項４に記載した心電計用電極装置。
【請求項６】
前記２本の支持バーは、前記軸の長さ方向にその間隔が変更可能とされて前記電極の胸の高さ方向の位置調整が可能であるとともに、前記各電極が前記支持バーの長手方向に移動可能とされて前記電極の左右方向の位置調整が可能とされている、ことを特徴とする請求項５に記載した心電計用電極装置。
【発明の詳細な説明】
【技術分野】
【０００１】
本発明は、心電計用電極装置に関し、殊に、胸部の測定位置に対し電極を正確に位置決めしながら迅速に装着できる心電計用電極装置に関する。
【背景技術】
【０００２】
胸部の心電図測定においては、６本に分岐したコードの先端側に各々設けたＶ１電極〜Ｖ６電極を、第４肋間胸骨右縁（Ｖ１電極）、第４肋間胸骨左縁（Ｖ２電極）、第５肋間左鎖骨中線上（Ｖ４電極）、Ｖ２電極とＶ４電極の中点（Ｖ３電極）、Ｖ４電極と同一高さの前腋窩線上（Ｖ５電極）、Ｖ４電極と同一高さで中腋窩線上（Ｖ６電極）、の各測定位置に正確に位置決めしながら固定する必要がある。
【０００３】
この場合、各測定位置に位置決めすべき電極を容易に判別するため、Ｖ１電極〜Ｖ６電極に接続している６本のコードを異なる色に色分けしてあるのが通常であり、また、６個の電極を装着位置の皮膚に脱落しにくい状態で簡易に固定するため、カップ状の金属電極体上部に内部空間を連通した状態でゴム球を付設した吸引電極を使用するのが一般的である。
【０００４】
しかし、このように６本のコードの先端側に比較的大きな吸引電極を各々設けるとコード同士が絡まりやすくなるため、これが電極の迅速な位置決めと固定を妨げる要因の１つとなっている。また、高齢者やるい痩者では吸引電極による吸着が困難な例が少なくなく、しばしば吸引電極を手で押さえる事態が生じている。さらに、その吸引電極は、ゴム球内部に生じた陰圧で皮膚に吸着させる方式であるため、被測定者に不快感や痛みを与えたり、皮膚にリング状の跡や内出血痕が残ったりするという問題がある。
【０００５】
このような問題点に対し、特開平１０−２１１１７８号公報や特開２００４−３０５６８６号公報には、Ｖ１電極〜Ｖ６電極を胸部に装着する位置関係のまま保持可能な電極ホルダと組み合わせた心電計用電極装置が提案されている。この装置では、電極ホルダが柔軟性のある素材からなり仰臥位の被測定者の胸に置くだけで胸の形状に合わせて湾曲しながら皮膚に密着するとともに、その密着面が粘着性を有していることで固定力を発揮するため、吸引電極の場合のように被測定者に不快感を与えたり皮膚に痕跡を残したりすることなく、６個の電極を迅速且つ正確に位置決め・固定することができる。
【０００６】
また、その電極ホルダを伸縮可能又はスロット内でスライド移動可動としたことで、体格の異なる被測定者であっても電極の位置を容易に微調整して対応することができる。ところが、この心電計用電極装置は、電極ホルダの粘着面が汚れやすいためにその衛生状態と粘着性を維持するのに手間を要することに加え、胸の側面側になるＶ６電極の測定位置においては仰臥状態で電極ホルダに重力が作用しくにくいため、少し動いただけで電極が脱落しやすいという難点がある。
【０００７】
これに対し、特開２０１４−１９５５１４号公報には、ベルト状の装身具（電極ホルダ）の所定位置に胸部用の６個の電極を設け、これを胸の周りに巻き付けることで各電極を皮膚に密着した状態で位置決め・固定しながら装着する方式の心電計用電極装置が提案されており、被測定者に不快感を与えたり皮膚に痕跡を残したりすることがないことに加え、衛生状態の維持を容易にしながら電極の脱落を生じにくくしている。
【０００８】
しかしながら、この装置においては、被測定者の上半身を起こして裸にした状態でベルト状の装身具を装着し、その後被測定者を仰臥させて測定する必要があるため、測定開始までに手間と時間を要することに加え、被測定者にとって身体的負担が過大になりやすいという難点がある。そのため、被測定者が仰臥した状態のまま上半身を裸にすることなく装着されて短時間で測定を開始出来るものが望まれていた。
【先行技術文献】
【特許文献】
【０００９】
【特許文献１】特開平１０−２１１１７８号公報
【特許文献２】特開２００４−３０５６８６号公報
【特許文献３】特開２０１４−１９５５１４号公報
【発明の概要】
【発明が解決しようとする課題】
【００１０】
本発明は、上記のような問題を解決しようとするものであり、心電計用電極装置について、被測定者に過大な負担をかけることなく電極を正確に位置決めしながら迅速に装着できるようにすることを課題とする。
【課題を解決するための手段】
【００１１】
そこで、本発明は、胸部用の電極がベルト状部材からなる電極ホルダの内側面で長手方向に複数個配置され、各電極が測定位置の皮膚に接するように被測定者の胸部に横向きに装着されて測定を行う心電計用電極装置において、そのベルト状部材の両端側には所定形状の係止体が各々付設されており、その両係止体を仰臥した被測定者の両腋下を通してベルト状部材に張力をかけながら背中と床面の間に各々挟み込むことにより、係止体の密着面に生じる摩擦力で電極ホルダを固定しながら被測定者に装着される、ことを特徴とするものとした。
【００１２】
このように、心電計における胸部用の電極を、ベルト状の電極ホルダ内側面に複数個配置するとともに、その両端側に係止体を設けて仰臥した被測定者の両脇下を通して背中と床面との間に挟み込んで装着される構成としたことにより、被測定者に不快感を与えたり皮膚に痕跡を残したりすることなく、各電極がベルト状部材の張力により皮膚に押圧された状態で固定されるとともに、少なくとも同一高さの複数の測定位置に対し複数個の電極を同じ高さに揃えて装着できるため、正確な位置決めが容易に行えるものとなり、且つ、被測定者の上半身を裸にすることなく仰臥位のまま装着作業と測定作業を連続して行えるようになる。
【００１３】
また、その複数個の電極は、胸部用のＶ４電極、Ｖ５電極、Ｖ６電極であって、各々ベルト状部材に挿通されて長手方向に摺動可能に配設された鞘状体に付設されており、ベルト状部材における長手方向の位置調整が可能とされている、ことを特徴としたものとすれば、被測定者ごとに体格が異なることで電極の固定位置が変動するような場合でも、容易に微調整を行って対応することができる。
【００１４】
さらに、上述した心電計用電極装置において、その係止体は、少なくともベルト状部材の厚さ方向の幅よりも同方向に幅広とされた柔軟な素材からなり、被測定者の背中と床面の間に挟み込まれることで変形しながら皮膚に密着した状態で固定される、ことを特徴としたものとすれば、装着が容易であるとともにその装着状態が安定しやすいものとなる。
【００１５】
さらにまた、上述した心電計用電極装置と、Ｖ１電極、Ｖ２電極、Ｖ３電極を保持した所定形状の電極ホルダを仰臥した被測定者の胸の測定位置に置くことでその測定位置の皮膚に各電極が接した状態で各々位置決め・固定される上載せ式の心電計用電極装置とが組み合わされた電計用電極装置とすれば、Ｖ１電極〜Ｖ３電極とＶ４電極〜Ｖ６電極が分割されたことで装着位置の微調整が容易になることに加え、被測定者の負担を過大にすることなく胸部用の総ての電極が正確に位置決め・固定されて装着作業を迅速に完了できるものとなる。
【００１６】
この場合、その上載せ式の心電計用電極装置は、その電極ホルダが、棒状部材からなる２本の支持バーが並列した状態で互いの中央部分をその長手方向に直角な軸で連結されてその軸を中心に互いに旋回動作を可能とされており、測定時に頭側に位置する一方の支持バーには、その左端側にＶ１電極が配設され右端側にＶ２電極が配設されており、測定時に腹部側に位置する他方の支持バーには、右端側にＶ３電極が配設され左端側に先端で皮膚に接してその支持バーを支持する支持脚が配設されている、ことを特徴としたものとすれば、仰臥した被測定者の胸の中央位置に置くだけで各電極が容易に位置決め・固定されるとともに、胸の形状に合わせて２本の支持バーが旋回しながら両端側の高さを変更するため、総ての電極が皮膚に密着した状態で固定しやすいものとなる。
【００１７】
またこの場合、その２本の支持バーは、軸の長さ方向にその間隔が変更可能とされて電極の胸の高さ方向の位置調整が可能であるとともに、各電極が支持バーの長手方向に移動可能とされて電極の左右方向の位置調整が可能とされている、ことを特徴としたものとすれば、被測定者ごとに体格が異なることで電極の固定位置が変動するような場合でも、電極の位置を容易に微調整できるものとなる。
【発明の効果】
【００１８】
電極をベルト状の電極ホルダ上に複数個配置するとともに、その両端側に仰臥した被測定者の両脇下を通して背中と床面の間に挟み込んで係止する係止体を設けた本発明によると、被測定者に過大な負担をかけることなく電極を正確に位置決めしながら迅速に装着できるものである。
【図面の簡単な説明】
【００１９】
【図１】（Ａ）は本発明における実施の形態の心電計用電極装置の正面図、（Ｂ）は（Ａ）の心電計用電極装置の背面図である。
【図２】図１の心電計用電極装置をＶ１電極〜Ｖ３電極用の心電計用電極装置と組み合わせて仰臥位の被測定者に装着した状態を示す平面図である。
【図３】（Ａ）は図２のＶ１電極〜Ｖ３電極用の心電計用電極装置を拡大した正面図、（Ｂ）は（Ａ）の心電計用電極装置を背面側から見た斜視図である。
【図４】図１の心電計用電極装置の変形例を示す正面図である。
【発明を実施するための形態】
【００２０】
以下に、図面を参照しながら本発明を実施するための形態を説明する。
【００２１】
図１は、本発明における実施の形態である心電計用電極装置１Ａを示しており、図（Ａ）はその正面図、図（Ｂ）はその背面図である。この心電計用電極装置１Ａは、胸部用のＶ４電極、Ｖ５電極、Ｖ６電極を所定の位置関係で保持しており、これらを被測定者の胸部における測定位置に位置決め・固定しながら装着して、心電図測定を行うための装置である。
【００２２】
即ち、この心電計用電極装置１Ａは、胸部用のＶ４電極、Ｖ５電極、Ｖ６電極である電極１０ａ，１０ｂ，１０ｃが、ベルト状部材からなる電極ホルダ５０の内側面で長手方向に配置されており、これらがベルト状部材と皮膚の間に挟み込まれることにより、その先端面を測定位置に押圧した状態で電極ホルダ５０が固定されながら被測定者の胸部に装着されて、測定を開始できるようになっている。
【００２３】
その電極ホルダ５０の両端側には、係止体５１ａ，５１ｂが各々付設されており、その係止体５１ａ，５１ｂを仰臥した被測定者の両腋下を挿通してベルト状部材が弛まないように張力をかけながら背中と床面の間に各々挟み込むことにより、係止体５１ａ，５１ｂの密着面に生じる摩擦力で電極ホルダ５０が被測定者の胸部に固定され、心電計用電極装置１Ａが装着されるようになっており、この点が本発明における最大の特徴部分となっている。尚、係止体５１ａ，５１ｂを背中の中央部に向かって挿入する深さを調整することで、被測定者ごとに胸囲が異なる場合でも容易に対応できるが、電極ホルダ５０の素材にある程度弾性伸縮性を有したものを使用することで、さらに調整が容易になるとともに電極１０ａ，１０ｂ，１０ｃの皮膚への密着性を一層確保しやすいものとなる。
【００２４】
また、その電極１０ａ，１０ｂ，１０ｃは、胸部用のＶ４電極、Ｖ５電極、Ｖ６電極であってコード５ａ，５ｂ，５ｃが各々接続されており、これらはベルト状の電極ホルダ５０に挿通されてその長手方向に摺動可能に配設された鞘状体５０ａ，５０ｂ，５０ｃに各々付設されている。そのため、電極１０ａ，１０ｂ，１０ｃは、電極ホルダ５０上の長手方向の装着位置を調整することができる。尚、図のように鞘状体５０ａ，５０ｂ，５０ｃの表面に、各電極の番号を意味する数字を表示しておけば、位置決め作業が一層スムースに行われやすくなる。
【００２５】
電極ホルダ５０の両端側に付設した係止体５１ａ，５１ｂは、ベルト状の電極ホルダ５０の短手方向の幅よりも同方向に幅広であることに加え、電極ホルダ５０の厚さ方向の幅よりも同方向に幅広とされた柔軟素材からなり、被測定者の背中と床面の間に各々挟み込まれることで弾性変形しながら皮膚に密着して摩擦力による係止機能を発揮するものであり、これらを仰臥位の被測定者の両腋下を通して背中の中央部に向かって差し込みながら背中と床面と間に挟み込むだけで、本実施の形態の心電計用電極装置１Ａは容易に装着され、その装着状態を安定的に維持することができる。
【００２６】
この係止体５１ａ，５１ｂとしては、布製の袋の内部に発泡樹脂やスポンジ等の軟質素材の固まりを収納したものが好適であるが、被測定者の皮膚に触れて汚れやすい袋の部分のみを取り外して洗濯出来るようにすると便利である。尚、ベルト状の電極ホルダ５０の両端側を、係止体５１ａ，５１ｂ基端側の挿通孔を挿通させて折り返し、その先端部分を電極ホルダ５０の表面に面状ファスナで着脱自在に固定したものとすれば、係止体５１ａ，５１ｂの着脱作業が容易になるとともに、面状ファスナの係合位置を変えるだけで電極ホルダ５０の長さ調整も容易に行えるようになる。
【００２７】
図２は、本実施の形態の心電計用電極装置１Ａを仰臥位の被測定者に装着した状態の一例を示している。この例では、Ｖ４電極〜Ｖ６電極を保持した上述の心電計用電極装置１Ａと、Ｖ１電極〜Ｖ３電極を保持した心電計用電極装置２Ａの２つを組み合わせることで、全体としてＶ１〜Ｖ６電極の総てを被測定者の各測定位置に位置決め・固定して測定を行う胸部用の心電計用電極装置を構成している。
【００２８】
本実施の形態の心電計用電極装置１Ａは、上述したように心電計における胸部用の電極１０ａ，１０ｂ，１０ｃをベルト状の電極ホルダ５０上に配置するとともに、その電極ホルダ５０の両端側に設けた柔軟素材からなる大径の係止体５１ａ，５１ｂを、仰臥位の被測定者の両脇下を通して背中と床面との間に挟み込むだけで装着されるものであるため、被測定者に不快感を与えたり皮膚に痕跡を残したりすることなく、電極１０ａ，１０ｂ，１０ｃは容易に位置決めされながら固定される。
【００２９】
また、ベルト状の電極ホルダ５０の内側面上で横一列に電極１０ａ，１０ｂ，１０ｃを保持する構成であるため、同一高さの各測定位置に対し３つの電極１０ａ，１０ｂ，１０ｃを同一高さで揃えて容易に装着できることから、例えばＶ４電極である１０ａの高さ位置が決まれば、残りのＶ５電極、Ｖ６電極の高さ位置がそのまま決まることになる。したがって、熟練者ではなくても電極が正確に位置決めされ、心肥大の判定ミス等の誤診の発生を減少させることができる。
【００３０】
さらに、横一列に並んだ電極１０ａ，１０ｂ，１０ｃが付設されている鞘状体５０ａ，５０ｂ，５０ｃは、電極ホルダ５０上で長手方向に摺動可能とされており、電極１０ａ，１０ｂ，１０ｃの左右方向の位置調整が容易に行えるようになっており、被測定者ごとに体格が異なるような場合であっても電極の位置決めを正確且つ容易に実施することができる。
【００３１】
加えて、本実施の形態の心電計用電極装置１Ａは、仰臥した被測定者の胸を露出させるだけで装着可能であることから、被測定者を起こして上半身を裸にすることなく仰臥位のまま容易に装着しながらそのままの姿勢で測定作業を開始できるため、被測定者の体力的な負担も最小限で済むようになっている。
【００３２】
図３は、上述した心電計用電極装置１Ａと組み合わせて用いる心電計用電極装置２Ａを示しており、図（Ａ）は正面図、図（Ｂ）は背面側から見た斜視図である。この心電計用電極装置２Ａは、コード３ａ，３ｂ，４ａが接続されたＶ１電極、Ｖ２電極、Ｖ３電極である電極２０ａ，２０ｂ，２０ｃを保持した電極ホルダ２０を、仰臥位の被測定者の胸の中央位置に置くことにより、各電極に応じた測定位置の皮膚に接した状態にて各々位置決め・固定できるようにした上載せ式の装置である。
【００３３】
そのため、被測定者が仰臥位のままで容易に装着して測定を開始することができることから、上述した心電計用電極装置１Ａと組み合わせて使用することにより、心電計用電極装置１Ａにおける特徴部分を損なうことなく、２つの装置を組み合わせて複合した心電計用電極装置として、胸部用のＶ１電極〜Ｖ６電極の総てを位置決め・固定しながら装着して測定を行うことを可能としている。
【００３４】
この心電計用電極装置２Ａにおいて、その電極ホルダ２０は、２本の角柱状の棒状部材からなる支持バー３０，４０が並列した状態で、互いの中央部分をその長手方向に直角な軸２２で連結されており、図３（Ｂ）に動作方向を白抜き矢印で示したように、その軸２２を中心にシーソーのように互いに旋回動作を行えるようになっており、仰臥した被測定者の胸の中央部に置くだけで、胸の表面形状に合わせて２本の支持バー３０，４０が旋回しながらその両端側の高さを変更して対応するようになっている。
【００３５】
この電極ホルダ２０において、測定時に頭側に位置する支持バー３０には、その左端側にＶ１電極である電極２０ａが配設され右端側にＶ２電極である電極２０ｂが配設されており、測定時に腹部側に位置する他方の支持バー４０には、右端側にＶ３電極である電極２０ｃが配設され左端側に先端が皮膚に接して支持バー４０を支持する支持脚４４が配設されている。そのため、この心電計用電極装置２Ａを仰臥した被測定者の胸の中央部に置くだけで、電極２０ａ，２０ｂ，２０ｃが容易に位置決め・固定されるとともに、これら総てが皮膚に密着しやすくなっている。
【００３６】
また、この心電計用電極装置２Ａでは、その動作方向を図３（Ａ）に白抜き矢印で示したように、その２本の支持バー３０，４０は、軸２２の長さ方向にその間隔が変更可能とされて電極の胸の高さ方向の位置調整が可能とされている。加えて、その電極２０ａ，２０ｂ，２０ｃは、一端側が球面状の皮膚への接触面とされ、他端側が支持バー３０，４０上で長手方向に摺動可能に装着された鞘状体３０ａ，３０ｂ，４０ｂに接続されている。
【００３７】
これにより、電極２０ａ，２０ｂ，２０ｃは、支持バー３０，４０の長手方向に移動させることでその左右方向の位置調整が容易に行えるようになっている。尚、支持脚４４は、ゴム等の比較的軟質な素材で作成することを想定しているが、その一端側が鞘状体４０ａに付設されたことで、その左右方向の位置調整が可能とされており、その位置調整により各電極の皮膚への密着性を一層確保しやすいものとしている。
【００３８】
図４は、上述した心電計用電極装置１Ａの応用例としての心電計用電極装置１Ｂを示している。この心電計用電極装置１Ｂは、全体的な構成は上述した心電計用電極装置１Ａとほぼ同様であるが、立体的な形状で柔軟素材からなる係止体５１ａ，５１ｂの代わりに、平面的な板状の部材からなる係止体５２ａ，５２ｂを付設した点を特徴としている。
【００３９】
斯かる係止体５２ａ，５２ｂは、その厚さがベルト状部材からなる電極ホルダ５０とほぼ同様であるが、その基端側が電極ホルダ５０の短手方向の幅よりも同方向に幅広でその先端側が幅狭とされた略二等辺三角形状の部材で構成されている点を特徴としており、幅狭の先端側が背中と床面の間に差し込みやすいことから、この心電計用電極装置１Ｂは被測定者に対し容易に装着することが可能であり、且つ、その基端側が幅広で引き抜き方向に抵抗が大きいため、充分なる固定力を発揮することができる。
【００４０】
尚、この係止体５２ａ，５２ｂは、合成樹脂等で製作することを想定したものであるが、その表面はアルコール綿で拭く等して容易に清拭・消毒されて短時間で乾燥し易いものであることが好ましい。また、ある程度の柔軟性を有して装着の際に皮膚に痛みを与えにくく、且つ、皮膚に触れた際に冷たさを感じにくい素材を用いることが推奨される。
【００４１】
以上、述べたように、心電計用電極装置について、本発明により被測定者に過大な負担をかけることなく電極を正確に位置決めしながら、迅速に装着できるようになった。
【符号の説明】
【００４２】
１Ａ，１Ｂ，２Ａ  心電計用電極装置、３ａ，３ｂ，４ａ，５ａ，５ｂ，５ｃ  コード、１０ａ，１０ｂ，１０ｃ，２０ａ，２０ｂ，２０ｃ  電極、２０，５０  電極ホルダ、３０，４０  支持バー、３０ａ，３０ｂ，４０ａ，４０ｂ，５０ａ，５０ｂ，５０ｃ  鞘状体、４４  支持脚、５１ａ，５１ｂ，５２ａ，５２ｂ  係止体
【図１】
2018175388.tif 000003
【図２】
2018175388.tif 000004
【図３】
2018175388.tif 000005
【図４】
2018175388.tif 000006